(57)【要約】封止のための、特にブチルまたはアクリルベースの、とりわけブチルゴムベースの自己粘着可撓性封止テープであって、封止テープおよび封止テープに貼り付けたキャリア箔が伸張可能で、それにより、キャリアテープが封止テープの伸張状態に追従することが可能な封止テープを提供する。【選択図】図１
2005506477.tif 000002
【特許請求の範囲】
【請求項１】
封止のための、特には、屋根等に配置されたプラスチック箔を貫通する建築部材の通路を封止するための、そして特には、防湿箔を貫通する管およびケーブルの通路を封止するための、片側が粘着面を保護する剥離片で被覆されるとともに反対側がキャリア箔で被覆された、特にブチルまたはアクリルベースの、とりわけブチルゴムベース等の自己粘着可撓性封止テープであって、
前記封止テープおよび前記キャリア箔が伸張可能になされ、これにより、設置状態では普通張力がかかり平面状の前記防湿箔に前記封止テープが接着される時に必要な、前記封止テープの伸張状態に、前記キャリア箔がほぼ永続的に追従するようになっていることを特徴とする封止テープ。
【請求項２】
塑弾性挙動を持つ封止テープ、特には高い可塑性を持つ封止テープを利用していることを特徴とする請求項１の封止テープ。
【請求項３】
前記キャリア箔の伸張能力が、当該封止テープの伸張能力に適合し、特に当該封止テープの伸張能力と等しいことを特徴とする請求項１または２の封止テープ。
【請求項４】
前記伸張可能なキャリア箔がプラスチック材料でできていることを特徴とする請求項１乃至３のいずれか１項に記載の封止テープ。
【請求項５】
前記キャリア箔がポリエチレン、特にはポリアミドからできていることを特徴とする  請求項４の封止テープ。
【請求項６】
前記キャリア箔の厚さが１５乃至３０μｍ、特には１７乃至２２μｍ、好ましくは約２０μｍであることを特徴とする請求項１乃至５のいずれか１項に記載の封止テープ。
【請求項７】
当該封止テープおよび前記キャリア箔の伸張能力が５０乃至１００％、特には７０乃至８０％の範囲になされていることを特徴とする請求項１乃至６のいずれか１項に記載の封止テープ。
【請求項８】
前記剥離片が長手方向に目打ちが設けられまたは分割されていて、これにより、当該封止テープがその片側で予備伸張できるようになっていることを特徴とする請求項１乃至７のいずれか１項に記載の封止テープ。
【請求項９】
前記キャリアテープの長手方向の少なくとも片半分が縮緬状になっていることを特徴とする請求項１乃至８のいずれか１項に記載の封止テープ。
【請求項１０】
引裂抵抗を向上させるべく、補強インサート、特には格子パターンが設けられていることを特徴とする請求項１乃至９のいずれか１項に記載封止テープ。
【請求項１１】
厚さが０．５乃至３ｍｍ、好ましくは約２ｍｍであることを特徴とする請求項１乃至１０のいずれか１項に記載の封止テープ。
【発明の詳細な説明】
【技術分野】
【０００１】
本発明は、添付の特許請求の範囲における請求項１の前提部に従う自己粘着封止テープに関する。
【背景技術】
【０００２】
建物の屋根、特には勾配屋根、および壁は、垂木間および／もしくは梁間にミネラルウール製品または他の断熱材を施工することにより断熱されることが広く周知である。この施工時に、一般的には、防湿層の役割を果たし気密被覆を構成するプラスチック箔でこれら材料を被覆することが必要である。他方、リード線、ケーブル、および管がこの箔を貫通できるように局部通路を設ける必要がある。従って、かかる防湿箔や屋根用フェルトを貫通する管の通路を適切に封止する必要がある。この目的のために、粘着テープつまり封止テープを使用することが通例となっている。
【発明の開示】
【発明が解決しようとする課題】
【０００３】
かかる封止テープは普通、プラスチックベースで形成され、特にブチルゴムベースのプラスチック材料でできている。このため、封止テープは自己粘着性を有し、その保管および使用の目的で、通常は、その両側に箔が貼り付けられて被覆される。従って、防湿箔を貫通する管の通路を補填するための周知の封止テープは、プラスチック製であって、ほとんどの場合透明な箔を一方側に貼り付けて被覆されるとともに、テープの他方側である反対側が中央に目打ちを施した剥離箔、例えばシリコン処理転写紙で被覆されていて、テープをロールに巻き付ける時に、テープの連続層が互いに接着してしまうのを防止している。封止テープを使用する時は一般に、中央に沿って折り曲げて剥離箔の片半分を除去してから、箔を除去した長手方向半分を手でロゼット状になし、剥離箔の残りの片半分を除去した後、封止テープをこの長手方向半分で管に接着する。このために、使用者は予め管の周囲に相当する長さの封止テープの切片を準備しておくことになる。テープを管に接着する時には、予め形成したロゼットも防湿箔に押し付けて防湿箔に接着する。封止テープの、管のバレルジャケットに接着されない方の長手方向半分は、そこから略放射方向に拡張するので、これは、防湿箔との接触面積が封止テープの元の面積より大きく、従って封止テープが先ずこの面積に伸張しなければならないことを意味する。これは、選択した封止テープがブチルゴムベースのプラスチック材料でできている場合には可能である。なぜなら、このようなテープは相当量のプラスチック材料成分を含有し、放射状の拡張に追従して、封止テープが放射方向に適切に伸張できるからである。しかしながら、実際の使用において周知の封止テープは、キャリアと箔とからなる複層構造であるため、張力および変形の存在が伸張に悪影響を与え、その結果、防湿箔や管のバレルジャケットへの封止テープの接着が少なくともその領域の一部で剥がれかねないという欠点がある。これはとりわけ、プラスチック箔が特に反りや折れ目を生じ易く、変形可能な封止テープが少なくとも部分的に防湿箔から分離してしまうという点に由来する。それ故、特にかかる反りや折れ目の領域では局部的な雨漏りが発生し、防湿箔はもはや気密性を失ってしまう。更に、しわおよび／または折れ目のついた封止テープは、粗末な外観を呈するとともに、防湿箔を貫通する管の通路の形成および封止の技量が粗末で雑な印象を与える。最後に、ロゼット状になされた長手方向半分の接着能力は、この長手方向半分を剥離箔のない状態で手で伸張する際、悪影響を受ける。
【０００４】
従って、本発明は、実際の施工が極めて簡単なままで、防湿箔等を貫通する管の通路を高い信頼性をもって封止することが可能な、簡単な手段の開示を目的とする。
【課題を解決するための手段】
【０００５】
本発明によれば、この目的は特許請求の範囲における請求項１の特徴部で開示した特徴により達成されるが、本発明の更なる有用な展開が、様々な従属請求項の記載により特徴づけられる。
【０００６】
本発明によれば、ブチルまたはアクリルベースで、特にはブチルゴムベースで形成された封止テープが提供され、前記ベースはその片側がキャリア箔の役割を果たすプラスチック箔で被覆されるとともに、反対側が剥離箔で被覆され、前記キャリア箔は伸張可能に形成される。これにより、前記封止テープが平坦な防湿箔に接着するようにフランジ状に曲げられた、封止テープの切片の拡大および／または伸張にキャリア箔が追従できるようになる。即ち、キャリア箔は、封止テープが平坦な防湿箔に接着し、更にはこの接着を永続的に保持するために達成されるべき、伸張状態に追従できるようになる。これにより、キャリア箔の反りや折れ目の形成が防止され、そのため封止通路の外観が申し分ないものになるだけでなく、伸張した封止テープの防湿箔からの分離が防止され、外部からの影響がなければ、部分的で自然発生的な剥離さえも防止される。このように、非常に複雑な管路の場合でも極めて簡単な方法で、信頼性の高い永続的な封止が可能になる。
【０００７】
このためには、塑弾特性および高い可塑性を持つテープを封止テープとして使用する場合だけでなく、更にキャリア箔の伸張能力が封止テープの伸張能力に整合している場合、特にキャリア箔の伸張能力が封止テープの伸張能力に等しい場合に有用である。
【０００８】
好ましくは、伸張可能なキャリア箔はプラスチック材料、特には透明なプラスチック材料、好ましくはポリアミドでできている。
【０００９】
本発明の特に好適な実施形態では、キャリア箔が所定厚さに設計され、その厚さの範囲は１５乃至３０μｍ、特には１７乃至２２μｍ、好ましくは約２０μｍである。保護箔のかかる設計により、保護箔の伸張能力が封止テープの伸張能力と一致し、そのため、保護箔が防湿箔に接着される際保護箔が放射状に拡大される時に、保護箔が封止テープにいつまでも追従することが確保される。かかる設計により、粘着テープ即ち封止テープは、片側のキャリア箔とともに伸張される時でも適切に伸張できるようになり、１００％まで伸張した時でも裂けないようになる。ここで、封止テープおよびキャリア箔の伸張能力は、５０乃至１００％、特には７０乃至８０％の範囲であるのが好ましい。このために、キャリア箔は、少なくとも長手方向の片側を縮緬状にすると有利である。
【００１０】
封止テープの剥離箔および／またはキャリア箔に、封止テープ長手方向の目打ちを設けたり、または適切な分割を設けることが実用上重要である。これにより、封止テープの折り曲げ、およびその片側での適切な予備伸張が可能になるからである。封止テープは、管ジャケットに接着する部分については伸張する必要はないが、管ジャケットから離れるようにフランジ状に曲げられる残部については伸張が必要になるので、封止テープの片側の伸長、即ち予備伸張が有利になる。
【００１１】
本発明の有利な実施形態では、封止テープが、ブチルまたはアクリルベースの、特にブチルゴムベースの塗膜を有するポリアミド製のキャリア箔を備える。更に別の実施形態では、封止テープに補強インレイを設けて引裂抵抗を増加させてもよい。そうするために、格子パターンのインサートの組み込みが特に好適である。それには、格子パターンの材料および形状を、格子パターンが伸張プロセスに追従可能となるように選択する。
【００１２】
実用的かつ有利な実施形態では、封止テープの厚さを１．５乃至３ｍｍ、好ましくは約２ｍｍに設計する。
【発明を実施するための最良の形態】
【００１３】
以下、純然たる概略形態ではあるが防湿箔を貫通する管路を示す、本明細書に添付する一図面を用いて、本発明の好ましい実施形態を説明する。
【００１４】
図面において、符号１は防湿箔２を貫通する円筒管を示し、通路は封止テープ３により封止され、気密になっている。符合４で示す封止テープ３の長手方向片半分は、円筒管１のバレルジャケットの周囲に配置されてバレルジャケットに堅固に接着される一方、図面に符号５で示す封止テープの長手方向下半分は、バレルジャケットからフランジ状に外方へ曲げられて防湿箔２に接着される。このため、長手方向下半分５は、管のバレルジャケットの周囲に配置された封止テープの部分４、および、バレルジャケットから離れるように外方へ伸張している放射状部分に追従可能なように、適切に拡大されなければならないことが明白である。この場合、図面に見られる封止テープ３の外面はキャリア箔６で被覆される。キャリア箔６はポリアミド、より具体的には透明ポリアミドからなり、厚さ２０μｍになされていると都合がよい。封止テープ自体の厚さは約２ｍｍである。
【００１５】
実用目的では、封止テープはロールに巻き付けた状態で提供され、封止テープのキャリア箔の反対側は、その接着面を保護するために不図示の剥離箔で被覆されている。封止テープを実際に施工する時は、使用者がまず管１の円周に相当する長さの封止テープを切り取り、次にそれを略中央部分で折り曲げて、図面に符号４で示す部分をバレルジャケットに接着し、折り曲げた部分５を防湿箔２に接着する。
【図面の簡単な説明】
【００１６】
【図１】本発明の一実施形態を概略的に示す斜視図である。
【国際公開パンフレット】
2005506477.tif 000003
2005506477.tif 000004
2005506477.tif 000005
2005506477.tif 000006
2005506477.tif 000007
2005506477.tif 000008
2005506477.tif 000009
2005506477.tif 000010
2005506477.tif 000011
【国際調査報告】
2005506477.tif 000012
2005506477.tif 000013
2005506477.tif 000014